(57)【特許請求の範囲】
【請求項１】
軽量埋込体の下面に中空部が形成され、該中空部を除く下面の全面に所要間隙をもって複数の突起列が隣接状態に形成され、これら各突起列における各突起間の間隙によって無数に形成される中空部と外部とを繋ぐ下面の通路がジグザグ状になるように、前記各突起列における各突起は隣接する突起列同士でずれた状態に配置されることを特徴とするコンクリートスラブ用埋込材。
【請求項２】
突起は平面円形、平面長楕円形、平面方形、平面多角形のいずれかであることを特徴とする請求項１に記載のコンクリートスラブ用埋込材。
【請求項３】
軽量埋込体の下面の四隅に沿って嵌合突起が設けられ、上面の四隅に沿って嵌合凹部が設けられたことを特徴とする請求項１または２に記載のコンクリートスラブ用埋込材。
【請求項４】
軽量埋込体の上面に下側が拡大された配管設置用溝が少なくとも一条設けられ、該配管設置用溝に同形の蓋体が取外自在に嵌合されたことを特徴とする請求項１〜３のいずれかに記載のコンクリートスラブ用埋込材。
【請求項５】
請求項１〜４に記載のコンクリートスラブ用埋込材のうちの少なくとも一種以上をコンクリート板に設置してなることを特徴とするプレキャストコンクリート板。
【請求項６】
突起間または嵌合突起の内側に充填された接着剤で軽量埋込体がコンクリート板に固定されたことを特徴とする請求項５に記載のプレキャストコンクリート板。
【請求項７】
軽量埋込体の下面における嵌合突起の下部がコンクリート板に埋設されたことを特徴とする請求項５または６に記載のプレキャストコンクリート板。
【発明の詳細な説明】
【０００１】
【発明の属する技術分野】
本発明はコンクリートスラブ用埋込材およびプレキャストコンクリート板に関するものである。
【０００２】
【従来の技術】
中空コンクリートスラブには、図１５に示すように、コンクリートスラブ用埋込材２９が配設されたプレキャストコンクリート板３０が使用されている。このコンクリートスラブ用埋込材２９はコンクリートスラブの軽量化を図るために中空部３１が形成されている。
【０００３】
【発明が解決しようとする課題】
しかし、上記のようなコンクリートスラブ用埋込材は中空部が形成されているため、ここに雨水などが入ると仲々抜けないことがある。また、前記雨水を抜くために形成した排水溝もごみ等が詰まるという問題があった。
【０００４】
本発明はこれらの問題に鑑みてなされたものであり、その目的は、中空部に入った雨水が簡単に抜けるコンクリートスラブ用埋込材およびプレキャストコンクリート板を提供することである。
【０００５】
【課題を解決するための手段】
以上の課題を解決するためのコンクリートスラブ用埋込材の要旨は、軽量埋込体の下面に中空部が形成され、該中空部を除く下面の全面に所要間隙をもって複数の突起列が隣接状態に形成され、これら各突起列における各突起間の間隙によって無数に形成される中空部と外部とを繋ぐ下面の通路がジグザグ状になるように、前記各突起列における各突起は隣接する突起列同士でずれた状態に配置されることを特徴とするものである。また突起は平面円形、平面長楕円形、平面方形、平面多角形のいずれかであること、軽量埋込体の下面の四隅に沿って嵌合突起が設けられ、上面の四隅に沿って嵌合凹部が設けられたこと、更に、軽量埋込体の上面に下側が拡大された配管設置用溝が少なくとも一条設けられ、該配管設置用溝に同形の蓋体が取外自在に嵌合されたことも含むものである。
【０００６】
またプレキャストコンクリート板は、請求項１〜４に記載のコンクリートスラブ用埋込材のうちの少なくとも一種以上をコンクリート板に設置してなることを特徴とする。また突起間または嵌合突起の内側に充填された接着剤で軽量埋込体がコンクリート板に固定された。また軽量埋込体の下面における嵌合突起の下部がコンクリート板に埋設された。
【０００７】
中空部内の水が排水できる排水通路を突起間に形成することができる。また各列の突起間の間隙部が互いにずれていること、すなわちジグザグに配置されたことにより、中空部からの水が排出でき、かつ中空部へのノロの侵入が妨げるジグザグの通路が形成される。突起間の間隙部または嵌合突起の内側が接着剤を充填する接着剤溜まりになる。コンクリートスラブ用埋込材を積み重ねると、嵌合突起が下側のコンクリートスラブ用埋込材の嵌合凹部に嵌合されて積み重ねられる。嵌合突起の下部がコンクリート板に埋設されるので、コンクリートスラブ用埋込材の設置が簡単にできる。配管の必要な配管設置用溝の蓋体のみを取り外すことができる。中空部に入った水が突起間に形成された間隙部から排出されるプレキャストコンクリート板を製造できる。コンクリートスラブ用埋込材が突起間の間隙部または嵌合突起の内側に充填された接着剤でコンクリート板に接着される。嵌合突起の下部がコンクリート板に埋設されたことにより、コンクリートスラブ用埋込材のコンクリート板への接着が簡単にできる。
【０００８】
【発明の実施の形態】
以下、本発明のコンクリートスラブ用埋込材（以下埋込材という）およびプレキャストコンクリート板（以下ＰＣ板という）の実施の形態を図面に基づいて説明する。はじめに埋込材について説明した後、この埋込材を使用したＰＣ板の実施の形態について説明する。また各実施の形態において同じ構成は同じ符号を付して説明し、異なった構成は異なった符号を付して説明する。
【０００９】
図１は第１の実施の形態の埋込材１を示したものである。この埋込材１はポリスチレン系樹脂やポリオレフイン系樹脂などで発泡形成された軽量埋込体２の下面３に中空部４が形成され、該中空部４間の下面に複数の突起５が形成されて構成されている。この突起５は下側に向かって縮小した円柱形であり、ジグザグ配置（ちどり配置）になっている。すなわち外側の突起列６における間隙部７の間に、中間の突起列８における突起５が配置され、中間の突起列８における間隙部７の間に、内側の突起列９における突起５が配置されている。したがって、軽量埋込体２の下面３には各突起５の間隙部７により、中空部４と外部とを繋ぐジグザグの通路１０が無数に形成されている。
【００１０】
また図３は第２の実施の形態の埋込材１１を示し、突起５が平面長方形または長楕円形に形成された以外は、第１の実施の形態の埋込材１と同じ構成である。
この埋込材１１も前記と同様に突起５間の間隙部７がずれた状態、すなわち突起５がジグザグ配置（ちどり配置）されているため、中空部４と外部とを繋ぐジグザグの通路１０が無数に形成されている。なお、図面においては突起５が一部省略されているが、埋込体２の下面３の全面に設けられている。
【００１１】
また図５および６は第３および４の実施の形態の埋込材１２、１３を示し、突起５が平面三角形または平面六角形に形成された以外は、それぞれ第１の実施の形態の埋込材１と同じ構成であり、同じ効果を奏するものである。なお、これらの突起５も埋込体２の下面３の全面に設けられている。
【００１２】
また図７〜９は第５の実施の形態の埋込材１４を示し、軽量埋込体２の下面３には四隅に沿って嵌合突起１５が、上面には四隅に沿って嵌合凹部１６がそれぞれ設けられたものであり、これ以外は第１の実施の形態の埋込材１と同じ構成である。この埋込材１４を積み重ねると、図９の（１）に示すように、嵌合突起１５が下側の埋込材１４の嵌合凹部１６に嵌合されるため、安定した積み重ねができる。また、同図の（２）に示すように、嵌合突起１５の下部がコンクリート板中に埋設されるため、埋込材１４が簡単に設置できる。
【００１３】
また図１０および１１は第６および７の実施の形態の埋込材１７、１８を示し、軽量埋込体２の下面四隅に嵌合突起１５が、上面四隅に嵌合凹部（図８参照）１６がそれぞれ設けられたものであり、これ以外は第５の実施の形態の埋込材１４と同じ構成であり、同じ効果を奏するものである。
【００１４】
また図１２は第８の実施の形態の埋込材１９を示し、軽量埋込体２の上面に配管設置用溝２０が形成されたものであり、これ以外は第１の実施の形態の埋込材１のと同じ構成である。この配管設置用溝２０は、同図の（２）〜（４）に示すように、下側が拡大され、これと同じ形の蓋体２１が取外自在に嵌入されている。したがって、この蓋体２１は埋込材１９をひっくり返しても落下しないが、上側に引っ張るか、あるいは蓋体２１の長さ方向に引っ張ると取り外すことができるようになっている。このように配管設置用溝２０には同形の蓋体２１が嵌入されているため、これを取り外すだけで必要な配管設置用溝２０への配管２０ａができる。また配管設置用溝２０は少なくとも１本以上設けられるものであり、縦方向、横方向または縦横方向に設置することもできる。なお、この配管設置用溝２０は、第２〜７の実施の形態の埋込材１１、１２、１３、１４、１７、１８にも設置することができる。
【００１５】
また図１３は第１の実施の形態のＰＣ板２２を示し、第１の実施の形態の埋込材１がコンクリート板２３のトラス筋２４間に設置されて構成されている。この埋込材１は突起５によって高床式になっており、各突起５間の間隙部７によって形成されたジグザグの通路１０により、中空部４の水を外部に排出することができる。この通路１０は無数に形成されているため、ＰＣ板２２の加熱養生における埋込材の中空部４の温度と、それ以外の温度とを同一にできる。さらに、前記のジグザグの通路１０は、各列の突起の間隙部７を塞ぐようにして他の列の突起５が配置されて形成されたことにより、図１３の（３）に示すように、中空部４へのノロ２５の侵入を妨ぐことができる。
【００１６】
また上記の他に、第２〜８の実施の形態の埋込材１１、１２、１３、１４、１７、１８、１９が設置されたＰＣ板（図示せず）を形成することもでき、これらも前記と同じ効果を奏することができる。なお、第８の実施の形態の埋込材１９が設置されたＰＣ板は、蓋体２１のみを取り出すだけで、必要な配管設置用溝２０への配管２０ａができるので、トップコンクリートの打設量の低減化と、スラブの軽量化とを図ることができる。
【００１７】
また図１４は第２の実施の形態のＰＣ板２６を示し、突起５間に充填された接着剤２７によって軽量埋込体２がコンクリート板２３に固定された以外は、第１の実施の形態のＰＣ板２２と同じ構成である。このように各突起の間隙部７を接着剤溜まり２８とすることができるので、係止具を使用せずに埋込材１をコンクリート板２３に固定することができる。このように接着剤２７を軽量埋込体２の下面３のどこにでも充填することができるので、埋込材１が小口カット、すなわちあらゆる形状にカットされても、その小口物のどこにでも接着剤溜まり２８を設けることができる。また同図の（３）は、下面四隅に嵌合突起１５を設けた埋込材１４であり、この嵌合突起１５により下面四隅に接着剤溜まり２８を形成することができるとともに、嵌合突起１５の下部がコンクリート板２３に埋め込まれて埋込材１４の設置をさらに強固にすることができる。
【００１８】
このような接着剤２７による埋込材１、１４の固定は、上記の他に第２〜８の実施の形態の埋込材１１、１２、１３、１４、１７、１８、１９にも適用することができ、同じ効果を奏することができる。
【００１９】
【発明の効果】
中空部内の水が排水できる排水通路を突起間に形成することができる。
【００２０】
突起間に形成された間隙部が互いにずれていること、すなわち突起がジグザグ配置されたことにより、中空部からの水が排出でき、かつ中空部へのノロの侵入が妨げられる通路を形成することができる。
【００２１】
突起間の間隙部が接着剤を充填する接着剤溜まりになる。
【００２２】
埋込材を積み重ねると、嵌合突起が下側の埋込材の嵌合凹部に嵌合されて積み重ねられる。
【００２３】
嵌合突起の下部がコンクリート板に埋設されるので、埋込材の設置が簡単にできる。
【００２４】
蓋体のみを取り外すことにより、必要な配管設置用溝への配管ができる。
【００２５】
中空部に入った水が突起間の間隙部から排出されるＰＣ板を製造することができる。
【００２６】
突起間の間隙部に充填された接着剤によって埋込材がコンクリート板に接着される。
【００２７】
嵌合突起の下部がコンクリート板に埋設されたことにより、コンクリート板に埋込材が簡単に接着できる。
【図面の簡単な説明】
【図１】（１）は第１の実施の形態の埋込材の底面図、（２）は一部を省略した拡大底面図である。
【図２】（１）は埋込材の断面図、（２）は一部を省略した拡大断面図である。
【図３】（１）は突起の一部を省略した第２の実施の形態の埋込材の底面図、（２）は一部を省略した拡大底面図、（３）は平面長楕円形の突起を備えた埋込材の底面図である。
【図４】（１）は図３の断面図、（２）は一部を省略した拡大底面図である。
【図５】（１）は第３の実施の形態の埋込材の底面図、（２）は一部を省略した拡大底面図である。
【図６】（１）は第４の実施の形態の埋込材の底面図、（２）は一部を省略した拡大底面図である。
【図７】（１）は第５の実施の形態の埋込材の底面図、（２）は一部を省略した拡大底面図である。
【図８】（１）は第５の実施の形態の埋込材の平面図、（２）は同断面図である。
【図９】（１）は第５の実施の形態の埋込材を積み重ねた断面図、（２）は第５の実施の形態の埋込材をコンクリート板に設置した一部省略拡大断面図である。
【図１０】第６の実施の形態の一部を省略した拡大底面図である。
【図１１】第７の実施の形態の一部を省略した拡大底面図である。
【図１２】（１）は第８の実施の形態の埋込材の平面図、（２）〜（４）は同断面図である。
【図１３】（１）は第１の実施の形態のＰＣ板の平面図、（２）は同拡大断面図、（３）は埋込材の一部を省略した拡大平面図である。
【図１４】（１）および（３）は第２の実施の形態のＰＣ板の一部省略平面図、（２）および（４）は同拡大断面図である。
【図１５】従来のＰＣ板の断面図である。
【符号の説明】
１、１１、１２、１３、１４、１７、１８、１９、２９  埋込材
２  軽量埋込体
３  下面
４、２８  中空部
５  突起
６  外側の突起列
７  間隙部
８  中間の突起列
９  内側の突起列
１０  通路
１５  嵌合突起
１６  嵌合凹部
２０  配管設置用溝
２１  蓋体
２２、２６、３０  ＰＣ板
２３  コンクリート板
２４  トラス筋
２５  ノロ
２７  接着剤
２８  接着剤溜まり
【図１】
0003701226.tif 000002
【図２】
0003701226.tif 000003
【図３】
0003701226.tif 000004
【図４】
0003701226.tif 000005
【図５】
0003701226.tif 000006
【図６】
0003701226.tif 000007
【図７】
0003701226.tif 000008
【図８】
0003701226.tif 000009
【図９】
0003701226.tif 000010
【図１０】
0003701226.tif 000011
【図１１】
0003701226.tif 000012
【図１２】
0003701226.tif 000013
【図１３】
0003701226.tif 000014
【図１４】
0003701226.tif 000015
【図１５】
0003701226.tif 000016